(57)【要約】【課題】  操作画面上に表示された印刷装置の印刷履歴から再印刷可能な画像の履歴を選択することにより、当該画像の再印刷を簡易に実行させることができる画像処理装置、印刷装置及び画像処理方法を提供する。【解決手段】  複写機１００１で印刷された画像の印刷履歴場合、印刷された当該画像の再印刷が許可されているか否かを判定する。その結果、当該画像の再印刷が許可されていると判定された場合、その画像の保存先を示すＵＲＬを格納しておき、画像の再印刷が許可されていることを示す再印刷ボタン１１１０をＵＲＬに対応させて印刷履歴情報とともに操作部２０１２の操作画面２０１３上に表示する。【選択図】  図１１
2006043962.tif 000002
【特許請求の範囲】
【請求項１】
印刷手段により印刷された画像の再印刷が許可されているか否かを判定する判定手段と、
前記印刷手段の印刷履歴情報を取得する履歴取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする画像処理装置。
【請求項２】
前記表示手段によって表示された前記再印刷許可情報を指定して前記画像の再印刷を指示する指示手段と、
前記再印刷許可情報に対応する参照情報に基づく画像を前記印刷手段に再印刷させる再印刷手段と
をさらに備えることを特徴とする請求項１に記載の画像処理装置。
【請求項３】
前記画像の再印刷が許可されているユーザによる操作であるか否かを認証する認証手段をさらに備え、
前記表示手段は、前記認証手段により再印刷が許可されたユーザによる操作であると認証されたことを条件として前記再印刷許可情報を前記印刷履歴情報とともに表示する
ことを特徴とする請求項１又は２に記載の画像処理装置。
【請求項４】
前記格納手段が、ネットワークを介して接続された他装置に保存されている前記画像の保存先を示すＵＲＬを前記参照情報として格納することを特徴とする請求項１から３までのいずれか１項に記載の画像処理装置。
【請求項５】
前記画像が、前記他装置で管理されているウェブコンテンツデータであることを特徴とする請求項４に記載の画像処理装置。
【請求項６】
印刷対象となる画像を取得する画像取得手段と、
前記画像を印刷する印刷手段と、
前記画像の再印刷が許可されているか否かを判定する判定手段と、
前記印刷手段の印刷履歴情報を取得する取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする印刷装置。
【請求項７】
前記表示手段によって表示された前記再印刷許可情報を指定して前記画像の再印刷を指示する指示手段と、
前記再印刷許可情報に対応する参照情報に基づく画像を再印刷する再印刷手段と
をさらに備えることを特徴とする請求項６に記載の印刷装置。
【請求項８】
前記画像の再印刷が許可されているユーザによる操作であるか否かを認証する認証手段をさらに備え、
前記表示手段は、前記認証手段により再印刷が許可されたユーザによる操作であると認証されたことを条件として前記再印刷許可情報を前記印刷履歴情報とともに表示する
ことを特徴とする請求項６又は７に記載の印刷装置。
【請求項９】
前記格納手段が、ネットワークを介して接続された他装置に保存されている前記画像の保存先を示すＵＲＬを前記参照情報として格納することを特徴とする請求項６から８までのいずれか１項に記載の印刷装置。
【請求項１０】
前記画像が、前記他装置で管理されているウェブコンテンツデータであることを特徴とする請求項９に記載の印刷装置。
【請求項１１】
前記画像取得手段で取得した画像を、前記印刷手段で印刷する際に用いる記録紙に収まるようにレイアウト編集する編集手段をさらに備えることを特徴とする請求項６から１０のいずれか１項に記載の印刷装置。
【請求項１２】
参照情報に基づき印刷対象となる画像を取得する画像取得手段と、
前記画像取得手段で取得した前記画像を印刷する印刷手段と、
前記印刷手段による印刷履歴を、前記画像取得手段で前記画像を取得する際に用いた前記参照情報とともに格納する格納手段と、
前記格納手段で格納されている印刷履歴に基づく再印刷の指示がなされた場合に、前記印刷履歴と対応付けられて格納されている参照情報に従って前記画像取得手段により印刷対象となる画像を新たに取得して前記印刷手段で印刷させるよう制御する制御手段と
を備えることを特徴とする印刷装置。
【請求項１３】
前記画像取得手段により取得した前記画像を記憶する記憶手段をさらに備え、
前記制御手段は、前記印刷履歴に基づく再印刷の指示がなされた場合、前記印刷履歴と対応付けられて格納されている参照情報に従って前記画像取得手段により印刷対象となる画像を新たに取得して前記印刷手段で印刷させるか、前記印刷履歴と対応付けられて前記記憶手段に記憶されている画像を前記印刷手段で印刷させるかを選択可能であることを特徴とする請求項１２に記載の印刷装置。
【請求項１４】
前記画像の再印刷が許可されているユーザによる操作であるか否かを認証する認証手段をさらに備え、
前記制御手段は、前記認証手段により前記再印刷が許可されたユーザによる操作であると認証されたことを条件として前記再印刷を許可する
ことを特徴とする請求項１２又は１３に記載の印刷装置。
【請求項１５】
前記格納手段が、ネットワークを介して接続された他装置に保存されている前記画像の保存先を示すＵＲＬを前記参照情報として格納することを特徴とする請求項１２から１４までのいずれか１項に記載の印刷装置。
【請求項１６】
前記画像が、前記他装置で管理されているウェブコンテンツデータであることを特徴とする請求項１２から１５までのいずれか１項に記載の印刷装置。
【請求項１７】
印刷装置により印刷された画像の再印刷が許可されているか否かを判定する判定工程と、
前記印刷装置の印刷履歴情報を取得する履歴取得工程と、
前記判定工程により前記画像の再印刷が許可されていると判定された場合、該画像の保存先を示す参照情報を格納する格納工程と、
前記画像の再印刷が許可されていることを示す再印刷許可情報を前記参照情報に対応させて前記印刷履歴情報とともに表示する表示工程と
を有することを特徴とする画像処理方法。
【請求項１８】
印刷対象となる画像を取得する画像取得工程と、
前記画像を印刷装置で印刷させる印刷工程と、
前記画像の再印刷が許可されているか否かを判定する判定工程と、
前記印刷装置の印刷履歴情報を取得する履歴取得工程と、
前記判定工程により前記画像の再印刷が許可されていると判定された場合、該画像の保存先を示す参照情報を格納装置に格納する格納工程と、
前記画像の再印刷が許可されていることを示す再印刷許可情報を前記参照情報に対応させて前記印刷履歴情報とともに表示装置に表示する表示工程と
を有することを特徴とする画像処理方法。
【請求項１９】
参照情報に基づき印刷対象となる画像を取得する画像取得工程と、
前記画像取得手段で取得した画像を印刷装置に印刷させる印刷工程と、
前記印刷工程による印刷履歴を、前記画像取得工程で画像を取得する際に用いた参照情報とともに格納する格納工程と、
前記格納工程で格納された印刷履歴に基づく再印刷の指示がなされた場合に、前記印刷履歴と対応付けられて格納されている参照情報に従って前記画像取得工程により印刷対象となる画像を新たに取得して印刷装置で印刷させるよう制御する制御工程と
を有することを特徴とする画像処理方法。
【請求項２０】
コンピュータに、請求項１７から１９のいずれか１項に記載の画像処理方法を実行させるためのプログラム。
【請求項２１】
請求項２０に記載のプログラムを格納したことを特徴とするコンピュータ読み取り可能な記録媒体。
【発明の詳細な説明】
【技術分野】
【０００１】
本発明は、画像処理装置、印刷装置及び画像処理方法に関し、特に、ネットワークを介して他装置から取得して印刷した画像を再印刷する画像処理装置、印刷装置及び画像処理方法に関する。
【背景技術】
【０００２】
近年、デジタル複写機をベースにした多数の機能が付加された複合機能装置が実用化されている。例えば、デジタル複写機にもともと備えられているスキャナやプリンタを使用してファクシミリ通信を行う機能、コンピュータから送られてきたコードデータをビットマップデータに展開してプリンタを使用してプリントアウトを行う機能、スキャナを使用して読み込んだ画像をネットワーク上に送信する機能、或いは、ネットワーク上から配信された画像をプリンタを使用してプリントする機能といった各種機能がデジタル複写機に付加されている。
【０００３】
一方で、複合機能装置の操作パネルの大型化が進み、スキャナやプリンタを利用した機能の操作設定のための表示だけでなく、その操作画面でネットワーク上のリモート機器の操作、その状態の監視を行うための表示、或いは組み込みブラウザによるウェブコンテンツの表示も十分可能になってきている。
【特許文献１】特開２００２−１７８６１３号公報
【発明の開示】
【発明が解決しようとする課題】
【０００４】
上述したように、近年の複合機能装置では、組み込みブラウザからの印刷に際して、ＵＲＬで指定したサーバ等が管理するデータを獲得し、レンダリングして印刷することが可能である。しかしながら、従来の複合機能装置では、印刷履歴としてページ名、印刷日時、或いは印刷者等の表示はできるものの、それらの印刷履歴に基づく印刷ジョブを参照して組み込みブラウザからの再印刷をさせることができなかった。すなわち、一旦印刷を行ったジョブと同じ印刷を組み込みブラウザから行う場合であっても、ＵＲＬの入力やその他の設定を含む同一のジョブを再度設定し直す必要があった。
【０００５】
本発明は、このような事情を考慮してなされたものであり、操作画面上に表示された印刷装置の印刷履歴から再印刷可能な画像の履歴を選択することにより、当該画像の再印刷を簡易に実行させることができる画像処理装置、印刷装置及び画像処理方法を提供することを目的とする。
【課題を解決するための手段】
【０００６】
上記課題を解決するために、本発明に係る画像処理装置は、
印刷手段により印刷された画像の再印刷が許可されているか否かを判定する判定手段と、
前記印刷手段の印刷履歴情報を取得する履歴取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする。
【０００７】
また、上記課題を解決するために、本発明に係る印刷装置は、
印刷対象となる画像を取得する画像取得手段と、
前記画像を印刷する印刷手段と、
前記画像の再印刷が許可されているか否かを判定する判定手段と、
前記印刷手段の印刷履歴情報を取得する取得手段と、
前記判定手段により前記画像の再印刷が許可されていると判定された場合、該画像の保存先を示す参照情報を格納する格納手段と、
前記画像の再印刷が許可されていることを示す再印刷許可情報を前記参照情報に対応させて前記印刷履歴情報とともに表示する表示手段と
を備えることを特徴とする。
【０００８】
さらに、上記課題を解決するために、本発明に係る印刷装置は、
参照情報に基づき印刷対象となる画像を取得する画像取得手段と、
前記画像取得手段で取得した前記画像を印刷する印刷手段と、
前記印刷手段による印刷履歴を、前記画像取得手段で前記画像を取得する際に用いた前記参照情報とともに格納する格納手段と、
前記格納手段で格納されている印刷履歴に基づく再印刷の指示がなされた場合に、前記印刷履歴と対応付けられて格納されている参照情報に従って前記画像取得手段により印刷対象となる画像を新たに取得して前記印刷手段で印刷させるよう制御する制御手段と
を備えることを特徴とする。
【０００９】
さらにまた、上記課題を解決するために、本発明に係る画像処理方法は、
印刷装置により印刷された画像の再印刷が許可されているか否かを判定する判定工程と、
前記印刷装置の印刷履歴情報を取得する履歴取得工程と、
前記判定工程により前記画像の再印刷が許可されていると判定された場合、該画像の保存先を示す参照情報を格納する格納工程と、
前記画像の再印刷が許可されていることを示す再印刷許可情報を前記参照情報に対応させて前記印刷履歴情報とともに表示する表示工程と
を有することを特徴とする。
【００１０】
さらにまた、上記課題を解決するために、本発明に係る画像処理方法は、
印刷対象となる画像を取得する画像取得工程と、
前記画像を印刷装置で印刷させる印刷工程と、
前記画像の再印刷が許可されているか否かを判定する判定工程と、
前記印刷装置の印刷履歴情報を取得する履歴取得工程と、
前記判定工程により前記画像の再印刷が許可されていると判定された場合、該画像の保存先を示す参照情報を格納装置に格納する格納工程と、
前記画像の再印刷が許可されていることを示す再印刷許可情報を前記参照情報に対応させて前記印刷履歴情報とともに表示装置に表示する表示工程と
を有することを特徴とする。
【００１１】
さらにまた、上記課題を解決するために、本発明に係る画像処理方法は、
参照情報に基づき印刷対象となる画像を取得する画像取得工程と、
前記画像取得手段で取得した画像を印刷装置に印刷させる印刷工程と、
前記印刷工程による印刷履歴を、前記画像取得工程で画像を取得する際に用いた参照情報とともに格納する格納工程と、
前記格納工程で格納された印刷履歴に基づく再印刷の指示がなされた場合に、前記印刷履歴と対応付けられて格納されている参照情報に従って前記画像取得工程により印刷対象となる画像を新たに取得して印刷装置で印刷させるよう制御する制御工程と
を有することを特徴とする。
【発明の効果】
【００１２】
本発明によれば、操作画面上に表示された印刷装置の印刷履歴から再印刷可能な画像の履歴を選択することにより、当該画像の再印刷を簡易に実行させることができる。しかも、参照情報に基づく最新の情報を取得して再印刷を実行させることができる。
【発明を実施するための最良の形態】
【００１３】
以下、図面を参照して、本発明の一実施形態に係る複合機能装置を備える画像形成システムの詳細について説明する。
【００１４】
図１は、本発明の一実施形態に係る複合機能装置を備える画像形成システムのネットワーク構成を模式的に示す図である。尚、以下の実施形態では、複合機能装置の一例として、データ送信機能を具備する複写機１００１を用いて説明する。
【００１５】
図１に示すように、複写機１００１は、当該複写機１００１と同等の機能を具備する複写機１００２、ファクシミリ１００３、データベース／メールサーバ１００４、及びクライアントコンピュータ１００５とともに、イーサネット（登録商標）等を用いて実現されるＬＡＮ１００６に収容（接続）されている。また、複写機１００１は、ファクシミリ１００７とともに公衆回線（ＷＡＮ）１００８に収容（接続）されている。
【００１６】
本実施形態に係る複合機能装置である複写機１００１は、コピー機能、スキャナ機能、及びファクシミリ機能を具備するとともに、原稿画像を読み取って獲得した画像データをＬＡＮ１００６上の各装置に送信するデータ送信機能を具備する。また、複写機１００１はＰＤＬ機能を具備し、ＬＡＮ１００６上に接続されているクライアントコンピュータ１００５等で印刷指示され送信されてきたＰＤＬ画像を受信してそれを印刷出力することが可能である。尚、複写機１００１は、自身で読み取った画像や、ＬＡＮ１００６上に接続されている他のコンピュータ等から指示されたＰＤＬ画像を、自装置のハードディスク等の記憶領域中の指定したボックス領域に保存することが可能である。また、複写機１００１は、当該ボックス領域に保存されている画像を印刷出力することが可能である。
【００１７】
さらに、複写機１００１は、ＬＡＮ１００６を介して複写機１００２が読み取ったデータを受信し、受信した当該データを複写機１００１内のハードディスクに保存したり、印刷出力することが可能である。さらにまた、複写機１００１は、クライアントコンピュータ１００５とＬＡＮ１００６を介してデータベースサーバ１００４から画像を受信し、当該画像を保存したり、印刷出力することが可能である。
【００１８】
ファクシミリ１００３は、ＬＡＮ１００６を介して複写機１００１が読み取ったデータを受信し、受信した当該データを他装置に送信することが可能である。
【００１９】
データベース／メールサーバ１００４は、ＬＡＮ１００６を介して複写機１００１が読み取ったデータを受信し、受信した当該データをデータベースに格納し、電子メールを用いて当該データを送信したりする機能を有するサーバ装置である。
【００２０】
クライアントコンピュータ１００５は、データベース／メールサーバ１００４にＬＡＮ１００６を介して接続され、データベース／メールサーバ１００４から所望のデーをタ取得して表示することが可能である。また、クライアントコンピュータ１００５は、ＬＡＮ１００６を介して複写機１００１が読み取ったデータを受信し、受信した当該データを加工、編集することが可能である。
【００２１】
ファクシミリ１００７は、公衆回線（ＷＡＮ）１００８を介して複写機１００１が読み取ったデータ等を受信し、受信した当該データを印刷出力することが可能である。
【００２２】
図２は、本発明の一実施形態に係る複合機能装置である複写機の主要部構成を示すブロック図である。
【００２３】
図２において、コントローラユニット２０００は、画像入力デバイスであるスキャナ２０７０や画像出力デバイスであるプリンタ２０９５に接続し、スキャナ２０７０で読み取られた画像データをプリンタ２０９５により印刷出力するコピー機能を実現するための制御を行う。また、コントローラユニット２０００は、ＬＡＮ１００６や公衆回線（ＷＡＮ）１００８に接続することによって、他装置等との間で画像情報やデバイス情報の入出力を行うための制御を行う。
【００２４】
次に、コントローラユニット２０００の細部構成について具体的に説明する。まず、コントローラユニット２０００はＣＰＵ２００１を有している。ＣＰＵ２００１は、ＲＯＭ２００３に格納されているブートプログラムによりオペレーションシステム（ＯＳ）を立ち上げ、当該ＯＳ上でハードディスクドライブ（ＨＤＤ）２００４に格納されているアプリケーションプログラムを実行することによって各種処理を実行する。尚、ＣＰＵ２００１の作業領域としては、ＲＡＭ２００２が用いられる。
【００２５】
ＲＡＭ２００２は、ＣＰＵ２００１の作業領域として機能する他にも、画像データを一時記憶するための画像メモリ領域を提供する。ＨＤＤ２００４は、上記アプリケーションプログラムとともに、画像データを格納する。
【００２６】
ＣＰＵ２００１は、システムバス２００７を介して、ＲＯＭ２００３、ＲＡＭ２００２、ＨＤＤ２００４、操作部インタフェース（操作部Ｉ／Ｆ）２００６、ネットワークインタフェース（ネットワークＩ／Ｆ）２０１０、モデム２０５０及びイメージバスインタフェース（イメージバスＩ／Ｆ）２００５が接続されている。
【００２７】
操作部Ｉ／Ｆ２００６は、タッチパネルを有する操作部２０１２とのインタフェースであり、操作部２０１２のタッチパネル上に表示するための画像データを操作部２０１２に対して出力する。また、操作部Ｉ／Ｆ２００６は、操作部２０１２を用いてユーザによって入力された情報をＣＰＵ２００１に送出する。
【００２８】
また、ネットワークＩ／Ｆ２０１０はＬＡＮ１００６に接続され、ＬＡＮ１００６上の他装置との間で情報の入出力を行う。モデム２０５０は公衆回線１００８に接続され、公衆回線１００８を介して他装置との間で情報の入出力を行う。
【００２９】
イメージバスＩ／Ｆ２００５は、システムバス２００７と画像データを高速で転送するための画像バス２００８とを接続し、データ構造を変換するためのバスブリッジである。画像バス２００８は、ＰＣＩバス又はＩＥＥＥ１３９４等から構成される。画像バス２００８上には、ラスタイメージプロセッサ（以下、「ＲＩＰ」という。）２０６０、デバイスインタフェース（デバイスＩ／Ｆ）２０２０、スキャナ画像処理部２０８０、プリンタ画像処理部２０９０、画像回転部２０３０、サムネイル作成部２０３５、及び画像圧縮部２０４０が接続（収容）されている。
【００３０】
ＲＩＰ２０６０は、ＰＤＬコードをビットマップイメージに展開するプロセッサである。デバイスＩ／Ｆ２０２０には、スキャナ２０７０及びプリンタ２０９５が接続されている。そして、デバイスＩ／Ｆ２０２０は、画像データの同期系／非同期系の変換を行う。
【００３１】
スキャナ画像処理部２０８０は、入力画像データに対して、補正、加工、及び編集の各処理を行う。プリンタ画像処理部２０９０は、プリント出力画像データに対して、プリンタの補正や解像度変換等を行う。画像回転部２０３０は、画像データの回転を行う。画像圧縮部２０４０は、多値画像データをＪＰＥＧデータ等に、二値画像データをＪＢＩＧ、ＭＭＲ、ＭＨ等のデータに圧縮するとともに、それらの圧縮データの伸長処理も行う。
【００３２】
図３は、図２に示す複写機１００１のスキャナ２０７０及びプリンタ２０９５のハードウェア構成を模式的に示す図である。本実施形態に係る複写機１００１は、スキャナ２０７０とプリンタ２０９５とは図３に示すように、それぞれリーダ部２００とプリンタ部３００として一体的に構成されている。
【００３３】
スキャナ２０７０は、原稿給紙ユニット２５０を搭載している。原稿給紙ユニット２５０は、原稿を先頭から順に１枚ずつプラテンガラス２１１上へ給送する。そして、各原稿の読み取り動作が終了する毎に、給送された原稿はプラテンガラス２１１から排出トレイ（図示せず）に排出される。
【００３４】
スキャナ２０７０（リーダ部２００）は、原稿がプラテンガラス２１１上に給送されると、ランプ２１２を点灯させ、移動ユニット２１３の移動を開始する。そして、この移動ユニット２１３の移動により、プラテンガラス２１１上の原稿に対する読み取り走査が行われる。この読み取り走査中、原稿からの反射光は、各ミラー２１４、２１５、２１６及びレンズ２１７を経てＣＣＤイメージセンサ（以下、「ＣＣＤ」という。）２１８に導かれ、原稿上の画像がＣＣＤ２１８の撮像面上に結像される。ＣＣＤ２１８は、撮像面に結像された画像を電気信号に変換し、当該電気信号は所定の処理が施された後にコントローラユニット２０００に入力される。
【００３５】
プリンタ２０９５（プリンタ部３００）は、レーザドライバ３２１を有し、レーザドライバ３２１は、コントローラユニット２０００から入力された画像データに基づいて、レーザ発光部３２２を駆動する。これにより、レーザ発光部３２２からは画像データに応じたレーザ光が発光され、当該レーザ光が走査されながら感光ドラム３２３上に照射される。
【００３６】
感光ドラム３２３上には、照射されたレーザ光により静電潜像が形成され、この静電潜像は現像器３２４から供給されたトナーによりトナー像として可視像化される。そして、レーザ光の照射タイミングに同期して、各カセット３１１、３１２から記録紙が搬送路を介して感光ドラム３２３と転写部３２５との間に給紙され、感光ドラム３２３上のトナー像が転写部３２５により給紙された記録紙上に転写される。
【００３７】
トナー像が転写された記録紙は、搬送ベルトを介して定着ローラ対（加熱ローラと加圧ローラ）３２６に送られる。そして、定着ローラ対３２６は、送られてきた記録紙を熱圧し、記録紙上のトナー像を記録紙上に定着させる。この定着ローラ対３２６を通過した記録紙は、排紙ローラ対３２７により排紙ユニット３３０に排紙される。
【００３８】
排紙ユニット３３０は、ソート、ステイプル等の後処理を施すことが可能なシート処理装置から構成される。また、両面記録モードが設定されている場合には、記録紙を排紙ローラ対３２７まで搬送した後に、排紙ローラ対３２７の回転方向を逆転させ、フラッパ３２８によって再給紙搬送路３２９へ導く。再給紙搬送路３２９に導かれた記録紙は、上述したタイミングで感光ドラム３２３と転写部３２５との間に再給紙され、この記録紙の裏面にトナー像が転写される。
【００３９】
次に、操作部２０１２の構成について説明する。図４は、図２に示す複写機１００１の操作部２０１２の外観図である。図４に示すように、ＬＣＤ表示部２０１３にはＬＣＤ上にタッチパネルシートが貼られている。そして、ＬＣＤ表示部２０１３は、複写機１００１が構成するシステムの操作画面を表示するとともに、表示されているキーがユーザ等によって接触、或いは押下されると、その位置情報をコントローラユニット２０００のＣＰＵ２００１に伝える。
【００４０】
スタートキー２０１４は、原稿画像の読み取り動作を開始する時等に用いられる。スタートキー２０１４の中央部には、例えば、緑色と赤色の２色のＬＥＤ２０１８が具備されており、それぞれの色のＬＥＤの発光によってスタートキー２０１４が使える状態にあるかどうかが示される。また、ストップキー２０１５は稼働中の動作を止める働きをする。さらに、ＩＤキー２０１６は、使用者のユーザＩＤを入力する時に用いられる。さらにまた、リセットキー２０１７は操作部からの設定を初期化する時に用いられる。
【００４１】
図５Ａは、図４に示す操作部２０１２のＬＣＤ表示部２０１３上に表示される操作画面の一例（コピー機能の初期画面）を示す図である。図５Ａに示すように、操作画面上部には、例えば、コピーキー５０１、送信／ファクス（ＦＡＸ）キー５０２、ボックスキー５０３、ウェブブラウザキー５０４のような複数の機能毎にタブ表示されたタッチキーが表示されている。尚、コントローラユニット２０００内のＲＯＭ２００３にはウェブブラウザ表示のためのプログラムが組み込まれている。そして、ユーザは、操作部２０１２上から指示することにより、当該ＬＣＤ表示部２０１３上にウェブブラウザ表示をさせることが可能である。
【００４２】
図５Ａは、上述のように、コピーキー５０１のタッチキーが押下されたときのコピー機能の初期画面を表している。例えば、図５Ａに示すように、「コピーできます」というメッセージが表示されている領域５０７には、コピー機能のステータスが表示され、その下方には、倍率、選択給紙段、置数等を表示する領域がある。
【００４３】
また、コピー機能の動作モードを設定するためのタッチキーとして、図５Ａに示すように、「等倍」、「倍率」、「用紙選択」、「ソータ」、「両面」、「割込み」、「文字」、濃度調整用として薄くするに対応する「左矢印キー」、濃くするに対応する「右矢印キー」、濃度を自動調整する「自動キー」等が表示され、初期画面上に表示しきれないその他の動作モードの指定は、「応用モードキー」を押下することで階層的に画面内に設定画面が表示されるようになっている。
【００４４】
さらに、表示領域５０５は、複写機１００１のステータスを表示する領域である。表示領域５０５には、例えば、ジャム等のアラームメッセージや、ＰＤＬプリントが行われている場合にＰＤＬプリント中であることを示すステータスメッセージが表示される。ユーザが、表示領域５０５内のシステム状況／中止キー５０６を押下すると、複写機１００１のデバイス情報を表示する画面や、プリントジョブ状況を表示する画面が表示され（図示せず）、この画面ではジョブの中止を行うことが可能である。
【００４５】
一方、送信／ファクスキー５０２が押下されると、複写機１００１で読み取った画像がＬＡＮ１００６上の他の機器にＥメール送信、ＦＴＰ送信、或いはＦＡＸにより公衆回線１００８を使って送信するための設定画面を表示する（図示せず）。
【００４６】
また、ボックスキー０３が押下されると、複写機１００１上で読み取った画像がハードディスク（ＨＤＤ）２００４内のボックス領域に保存されたり、ボックス領域に保存されている画像データを指定して印刷したり、ＬＡＮ１００６上の機器に送信するための設定画面が表示される（図示せず）。
【００４７】
さらに、ウェブブラウザキー５０４が押下されると、ブラウザ起動画面が開く。図５Ｂは、図４に示す操作部２０１２のＬＣＤ表示部２０１３上に表示される操作画面の一例（ウェブブラウザ機能の初期画面）を示す図である。図５Ｂにおいて、ＵＲＬ入力部５０７のフィールドは、ユーザがＵＲＬを指定してページを開くときに押下される。当該フィールドが押下されることで、ソフトキーボードが表示され、ユーザがＵＲＬを指定することができる。尚、ユーザによるＵＲＬの指定の可否は、本システムの管理者の権限で設定するようにしてもよい。
【００４８】
また、図５Ｂにおいて、お気に入りキー５０８は、特定のＵＲＬを登録、整理、表示等を行うために使用される。さらに、表示領域５０９は、各種コンテンツを表示するための領域である。さらにまた、戻るキー５１０はページを１つ前に戻すためのキーであり、進むキー５１１はページを１つ進めるためのキーである。
【００４９】
また、図５Ｂにおいて、更新キー５１２は、現在表示しているページを再度ロードして表示するためのキーである。さらに、中止キー５１３は、ページの読み込みを中止するためのキーである。さらにまた、ホームキー５１４は、設定されているホームページに移動するためのキーである。
【００５０】
また、印刷キー５１５は、現在表示されているページを印刷するためのキーである。ユーザがこのボタンを押下すると印刷設定ダイアログが表示される。また、印刷設定ダイアログには、フレームをどのように印刷するかの設定、印刷に関する設定（部数、両面、ソート等）の画面が表示され、この画面内の印刷スタートボタンを押下することで印刷を開始する。さらに、メニューキー５１６は、画面の表示倍率の変更、文字サイズの変更、文字コードの変更等の画面を表示するためのキーである。
【００５１】
次に、ユーザがウェブブラウザキー５０４を押下したときのブラウザの動作について説明する。図６は、本発明の一実施形態に係る複写機１００１のウェブブラウザの動作手順を説明するためのフローチャートである。
【００５２】
まず、ウェブブラウザの起動指示があるかどうかを判定する（ステップＳ６０１）。その結果、ウェブブラウザ起動指示であると判定された場合（Ｙｅｓ）は、ウェブブラウザの起動を行う（ステップＳ６０２）。そして、ウェブブラウザ起動時に接続するＵＲＬ（ホームＵＲＬ）に接続する（ステップＳ６０３）。
【００５３】
ここで、上記接続ができたか否かを判定する（ステップＳ６０４）。その結果、接続ができなかった場合（Ｎｏ）は、エラーメッセージを表示する（ステップＳ６０５）。一方、接続ができた場合（Ｙｅｓ）は、取得したデータがウェブコンテンツデータであるか否かの判定を行う（ステップＳ６０６）。その結果、ウェブコンテンツデータではないと判定された場合（Ｎｏ）は、さらに複写機１００１内で展開が可能なデータであるかどうかの判定を行う（ステップＳ６０７）。そして、展開可能なデータでない場合（Ｎｏ）は、エラーメッセージの表示を行う（ステップＳ６０５）。
【００５４】
一方、ステップＳ６０７で展開可能なデータであると判定された場合（Ｙｅｓ）は、印刷を行うか印刷プレビューを行うかどちらの指示であるかの判定を行う（ステップＳ６０８）。ここで、印刷プレビューが指示された場合は、印刷プレビュー表示を行い（ステップＳ６０９）、次の指示を待って当該指示が印刷であるか否かを判定する（ステップＳ６１０）。そして、次の指示が印刷であった場合は印刷を開始する（ステップＳ６１１）。
【００５５】
次に、ステップＳ６０６で取得したデータがウェブコンテンツデータであると判定された場合（Ｙｅｓ）、ブラウザは取得した当該データを図５Ｂに示す操作画面の表示領域５０９に表示する（ステップＳ６１２）。そして、次の指示として印刷指示、又は印刷プレビュー指示のいずれかの指示があったか否かを判定する（ステップＳ６１３）。
【００５６】
その結果、印刷指示又は印刷プレビュー指示があった場合（Ｙｅｓ）は、ステップＳ６０８に戻って上記処理を行う。但し、ここでは、印刷プレビュー及び印刷を行う際には使用すべき記録紙のサイズの指定を行うが、ウェブコンテンツデータは印刷されることを考慮せず表示装置での表示のみを考慮したレイアウトであることが多いため、指定された記録紙サイズに収まらず必要な情報が切れてしまうことがある。そのため、本実施形態では、選択されている記録紙サイズに収まるように、オブジェクトの並びを変更するなどのレイアウト編集を自動で行ってから印刷プレビュー及び印刷を行うものである。また、記録紙に収まるようにするだけでなく、複数ページに渡って印刷する際、その境目にイメージオブジェクトが存在した場合には次のページとなるように編集を行うものである。これは文字オブジェクトとは違い、イメージオブジェクトがページでまたがるとイメージの内容がわかりづらいものとなってしまうのを防ぐためである。一方、印刷指示又は印刷プレビュー指示のいずれもなかった場合（Ｎｏ）、ステップＳ６１１で開始された印刷が終了した場合、ステップＳ６１０で印刷指示ではない場合（Ｎｏ）、ステップＳ６０５でエラーメッセージが表示された場合、次のＵＲＬ指示がされたかどうかを判定する（ステップＳ６１４）を行う。
【００５７】
ここで、次のＵＲＬ指示があった場合（Ｙｅｓ）は、ステップＳ６０４に戻って、ホームＵＲＬの接続判定の場合と同様に次のＵＲＬに対して接続可能かどうかが判定される。一方、次のＵＲＬ指示がなかった場合は、終了指示があったか否かが判定される（ステップＳ６１５）。その結果、終了指示があった場合（Ｙｅｓ）はブラウザの動作を終了する。
【００５８】
次に、ウェブブラウザによる印刷動作について詳細に説明する。図７は、図５Ｂの印刷キー５１５が押下されたときに表示される印刷設定画面の一例を示す図である。すなわち、ユーザはブラウザで印刷したいページを表示させ、印刷キー５１５を押下して、図７に示す印刷設定画面を表示させる。図７において、７０１は用紙サイズ設定領域であり、現在はＡ４サイズの用紙が設定されており、変更する場合は右側のボタンを押下して設定することができる。７０２は再印刷設定領域であり、現在は再印刷を許可する設定になっている。そして、これを再印刷禁止の設定にする場合には、設定変更キー７０３を押下して禁止設定に変更する。そして、印刷設定が終わるとＯＫキー７０４を押下して、図８に示す印刷画面を表示させる。
【００５９】
図８は、図７のＯＫキー７０４が押下されたときに表示される印刷画面の一例を示す図である。図８において、８０１はタイトル表示、８０２はＵＲＬ表示、８０３は設定部数表示を示す。ユーザが印刷設定を変更したい場合には、プリント設定キー８０４を押下して図７に示す印刷設定画面に戻る。そして、当該画面において設定を確認した場合は、プリント開始キー８０５を押下して印刷を開始する。尚、印刷対象の画像を表示させず、対象のＵＲＬの指定と印刷の指示のみを行うようにしてもよい。
【００６０】
次に、ブラウザからの印刷ジョブを印刷履歴画面から再印刷する場合について説明する。図９は、ブラウザ印刷ジョブの印刷履歴データの作成手順について説明するためのフローチャートである。すなわち、印刷ジョブが終了した後に、当該印刷ジョブに再印刷許可の設定がされているどうかが判定される（ステップＳ９０１）。その結果、再印刷許可の設定がない場合（Ｎｏ）は、通常の印刷ジョブと同様の印刷履歴データが作成される（ステップＳ９０４）。
【００６１】
一方、印刷ジョブに再印刷許可の設定がされている場合（Ｙｅｓ）は、印刷時のＵＲＬデータを格納する（ステップＳ９０２）。但し、このＵＲＬ自体は印刷履歴には表示されない。これにより、第三者に対して過去にどのような対象画像（ページ）が印刷されたかということを秘匿することが可能である。次いで、再印刷ボタン表示フラグをセットして、印刷履歴表示時に再印刷ボタンが表示されるようにする（ステップＳ９０３）。そして、ステップＳ９０４に進んで、通常の印刷ジョブと同様に印刷履歴データを作成する。
【００６２】
次に、印刷履歴画面表示処理について説明する。図１０は、ブラウザからの印刷ジョブに対する印刷履歴表示動作を説明するためのフローチャートである。まず、印刷履歴を表示するユーザとブラウザからの印刷ジョブのユーザとが同一であるか否かを調べる（ステップＳ１０１）。その結果、両者が同一ではない場合（Ｎｏ）は、再印刷が許可されるユーザではないとして、通常の印刷ジョブと同様の印刷履歴表示を行う（ステップＳ１０４）。すなわち、この場合、同じユーザ名やユーザＩＤ等を使用するほかの人が再印刷をしても構わないページのみを再印刷可能に設定することができ、それ以外のユーザに対しては当該ボタンが表示されないので再印刷されてしまうことがない。尚、ユーザ個々のユーザ名が同一であるか否かを調べるのではなく、例えば、部門ＩＤ等のグループＩＤを使用して同一グループ内では共通の履歴を使用できるようにしてもよい。
【００６３】
ステップＳ１０１で同一ユーザであると判定された場合（Ｙｅｓ）は、次に再印刷ボタン表示フラグがセットされているか否かを調べる（ステップＳ１０２）。その結果、再印刷ボタン表示フラグがセットされている場合（Ｙｅｓ）は、再印刷ボタンを表示する（ステップＳ１０３）。そしてステップＳ１０４に進んで、上述したように印刷履歴の表示を行う。一方、ステップＳ１０２で再印刷ボタン表示フラグがセットされていない場合（Ｎｏ）は、ステップＳ１０４に進んで印刷履歴の表示を行う。
【００６４】
図１１は、図２に示す操作画面に表示される印刷履歴画面の一例を示す図である。ユーザは、図１１に示す印刷履歴画面におけるタブ１１０１〜１１０４を選択することで、コピージョブ、ローカルプリントジョブ、受信ジョブ、或いはプリンタジョブの印刷履歴をそれぞれ表示させることができる。尚、図１１では、プリンタジョブの印刷履歴が表示されている。
【００６５】
そして、図１１に示す印刷履歴画面において、１１０５はジョブの受付番号、１１０６はジョブの名称、１１０７はユーザ名、１１０８は印刷時刻、１１０９は再印刷のそれぞれ表示コラム名である。１１１０は再印刷ボタン、１１１１は選択された印刷ジョブの詳細情報を表示する詳細情報表示ボタン、１１１２は表示されている印刷履歴のリスト印刷を行うリスト印刷ボタン、１１１３は前画面に戻るためのボタンを示す。
【００６６】
図１２は、図１１に示す印刷履歴画面からブラウザ印刷ジョブの再印刷処理の手順を説明するためのフローチャートである。まず、ユーザが図１１に示される印刷履歴画面の再印刷ボタン１１１０を押下する（ステップＳ１２０１）。これにより前述した図７に示す印刷設定画面が表示される。そこで、次いで、ユーザは印刷設定画面を用いて印刷設定を行う（ステップＳ１２０２）。そして、ユーザが印刷設定画面のＯＫボタン７０４を押下すると、前述した図８に示す印刷設定確認画面が表示される。
【００６７】
ユーザが図８に示す印刷設定確認画面でその設定内容を確認後、プリント開始ボタン８０５を押下する（ステップＳ１２０３）。これにより、設定された内容で印刷が開始される（ステップＳ１２０４）。そして、指定ＵＲＬのサーバに対してデータ取得のリクエストを行ってコンテンツデータを取得する（ステップＳ１２０５）。次いで、ＨＴＭＬレンダリングエンジンが取得したコンテンツデータを解析して、印刷可能なビットマップデータに展開して画像を生成し、画像メモリに書き込む（ステップＳ１２０６）。そして、画像メモリに書き込まれたビットマップデータをプリンタ２０９５に送信して印刷が行われる（ステップＳ１２０７）。
【００６８】
＜他の実施形態＞
上述した実施形態では、再印刷許可の有無を含む印刷履歴を複写機１００１の操作画面に表示していたが、これをクライアントコンピュータ１００５のブラウザ上に表示するようにしても良い。その場合、印刷履歴に関するデータは、複写機１００１のコントローラユニット２０００が有するウェブサーバ機能を用いて、ブラウザから複写機１００１のアドレスを指定することで表示することができる。
【００６９】
このように、本発明によれば、前述したように複写機１００１に組み込まれているブラウザから複写機のウェブサーバを指定して履歴を表示させるだけでなく、ネットワーク上のクライアントコンピュータ１００５上のブラウザから複写機１００１を指定して印刷履歴を表示し、そこからブラウザ印刷ジョブの再印刷を行うようにしもよい。
【００７０】
以上の実施形態では、再印刷の際、各履歴に残しておいたＵＲＬに基づきコンテンツを再取得して印刷するので、再印刷指示の際の最新の情報を印刷することが可能となるが、場合によっては前回の印刷時のコンテンツを再印刷したい場合もある。
【００７１】
そこで、印刷処理を行った際、印刷した画像を各印刷履歴と対応付けてＨＤＤ２００４等に保存しておき、再印刷の指示がされた段階で先の印刷時の画像を印刷させるかＵＲＬに基づきコンテンツを再取得して印刷させるかをユーザに選択させるようにしてもよい。また、再印刷の段階に選択するのに代えて、予め再印刷時はいずれの画像を印刷させるかを設定しておくようにしてもよい。
【００７２】
以上、実施形態例を詳述したが、本発明は、例えば、システム、装置、方法、プログラム若しくは記憶媒体（記録媒体）等としての実施態様をとることが可能であり、具体的には、複数の機器から構成されるシステムに適用しても良いし、また、一つの機器からなる装置に適用しても良い。
【００７３】
尚、本発明は、前述した実施形態の機能を実現するソフトウェアのプログラム（実施形態では図に示すフローチャートに対応したプログラム）を、システムあるいは装置に直接あるいは遠隔から供給し、そのシステムあるいは装置のコンピュータが該供給されたプログラムコードを読み出して実行することによっても達成される場合を含む。
【００７４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００７５】
その場合、プログラムの機能を有していれば、オブジェクトコード、インタプリタにより実行されるプログラム、ＯＳに供給するスクリプトデータ等の形態であっても良い。
【００７６】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００７７】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００７８】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００７９】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行い、その処理によっても前述した実施形態の機能が実現され得る。
【００８０】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行い、その処理によっても前述した実施形態の機能が実現される。
【図面の簡単な説明】
【００８１】
【図１】本発明の一実施形態に係る複合機能装置を備える画像形成システムのネットワーク構成を模式的に示す図である。
【図２】本発明の一実施形態に係る複合機能装置である複写機の主要部構成を示すブロック図である。
【図３】図２に示す複写機１００１のスキャナ２０７０及びプリンタ２０９５のハードウェア構成を模式的に示す図である。
【図４】図２に示す複写機１００１の操作部２０１２の外観図である。
【図５Ａ】図４に示す操作部２０１２のＬＣＤ表示部２０１３上に表示される操作画面の一例（コピー機能の初期画面）を示す図である。
【図５Ｂ】図４に示す操作部２０１２のＬＣＤ表示部２０１３上に表示される操作画面の一例（ウェブブラウザ機能の初期画面）を示す図である。
【図６】本発明の一実施形態に係る複写機１００１のウェブブラウザの動作手順を説明するためのフローチャートである。
【図７】図５Ｂの印刷キー５１５が押下されたときに表示される印刷設定画面の一例を示す図である。
【図８】図７のＯＫキー７０４が押下されたときに表示される印刷画面の一例を示す図である。
【図９】ブラウザ印刷ジョブの印刷履歴データの作成手順について説明するためのフローチャートである。
【図１０】ブラウザからの印刷ジョブに対する印刷履歴表示動作を説明するためのフローチャートである。
【図１１】図２に示す操作画面に表示される印刷履歴画面の一例を示す図である。
【図１２】図１１に示す印刷履歴画面からブラウザ印刷ジョブの再印刷処理の手順を説明するためのフローチャートである。
【符号の説明】
【００８２】
１００７  ＬＡＮ
１００８  ＷＡＮ
２０００  コントローラユニット
２００１  ＣＰＵ
２００２  ＲＡＭ
２００３  ＲＯＭ
２００４  ハードディスク（ＨＤＤ）
２００５  イメージバスＩ／Ｆ
２００６  操作部Ｉ／Ｆ
２００７  システムバス
２００８  画像バス
２０１０  ネットワークＩ／Ｆ
２０１２  操作部
２０１３  ＬＣＤ表示部
２０１４  スタートキー
２０１５  ストップキー
２０１６  ＩＤキー
２０１７  リセットキー
２０１８  ＬＥＤ
２０２０  デバイスＩ／Ｆ
２０３０  画像回転部
２０４０  画像圧縮部
２０５０  モデム
２０６０  ＲＩＰ
２０７０  スキャナ
２０８０  スキャナ画像処理部
２０９０  プリンタ画像処理部
２０９５  プリンタ
【図１】
2006043962.tif 000003
【図２】
2006043962.tif 000004
【図３】
2006043962.tif 000005
【図４】
2006043962.tif 000006
【図５Ａ】
2006043962.tif 000007
【図５Ｂ】
2006043962.tif 000008
【図６】
2006043962.tif 000009
【図７】
2006043962.tif 000010
【図８】
2006043962.tif 000011
【図９】
2006043962.tif 000012
【図１０】
2006043962.tif 000013
【図１１】
2006043962.tif 000014
【図１２】
2006043962.tif 000015